【事件の表示】
　平成　７年特許願第　１７６２６号「画像読み取り装置」拒絶査定不服審判事件〔平成　８年　８月２０日出願公開、特開平　８−２１４１５８〕について、次のとおり審決する。
【結　論】
　本件審判の請求は、成り立たない。
【理　由】
第１　手続きの経緯 
　本願は、平成７年２月６日の出願であって、平成１６年１月１４日に拒絶査定がなされ、これに対して同年２月１９日に拒絶査定を不服とする審判請求がなされるとともに、同日に手続補正がなされたものである。
 　  
第２　平成１６年２月１９日付けの手続補正の補正の却下の決定について
［補正却下の決定の結論］ 
　平成１６年２月１９日付けの手続補正を却下する。
［理由］ 
　１．平成１６年２月１９日付けの手続補正（以下、「本件補正」という。）により、特許請求の範囲は、
「　【請求項１】　読取対象物を照明する照明手段と、該読取対象物の画像を読み取るための光学系及びラインセンサと、前記ラインセンサをその直角方向に走査させる走査手段と、前記ラインセンサからの画像信号を画像データへ変換する変換手段と、1ライン分の画像データを一時的に蓄える第1領域、１画面分の画像データを格納する第２領域及びシューディング補正に関する補正係数データを格納する第３領域からなるメモリと、該メモリの第１、第２領域への画像データの書き込み、読み出しを行う制御手段と、画像データをＴＶ信号又はプリンタ出力信号に変換する出力手段とを備えた画像読取装置において、前記制御手段は前記補正係数データを予め求めて前記メモリの第３領域に書き込んだ後、前記ラインセンサが前記読取対象物を走査する際、前記変換手段からの１ライン分の画像データを一時的に前記メモリの第１領域に蓄えると共に該第１領域から1ライン分の画像データを前記メモリの第２領域へ順次転送することにより全ライン分の画像データを１画面分の画像データとして書き込み、該第２領域から当該１画面分の画像データと共に前記第３領域から前記補正係数データを読み出し、当該１画面分の画像データを該補正係数データに基づいてシェーディング補正して前記第２領域へ書き込み直すことを特徴とする画像読み取り装置。
　　【請求項２】　前記メモリの第３領域には、シェーディング補正に関する補正係数データの他に、ラインセンサ感度ムラ補正、色補正、色変換、階調補正等の補正に関する補正係数データが予め格納され、前記制御手段はこれら補正係数データに基づいてシェーディング補正を含む補正することを特徴とする請求項１記載の画像読み取り装置。」
と補正された。
　上記補正は、請求項１において、
　ア　補正前「撮像センサ」を「ラインセンサ」とし、
　イ　補正前「画像データ及びシューディング補正に関する補正係数データを格納する汎用のハードウェアであるメモリ」を「1ライン分の画像データを一時的に蓄える第1領域、１画面分の画像データを格納する第２領域及びシューディング補正に関する補正係数データを格納する第３領域からなるメモリ」とし、
　ウ　補正前「該メモリへの画像データの書き込み、読み出しを行う汎用のハードウェアである制御手段」を「該メモリの第１、第２領域への画像データの書き込み、読み出しを行う制御手段」とし、
　エ　補正前「前記制御手段は前記補正係数データを予め求めて前記メモリに書き込んだ後、前記変換手段からの画像データを一時的に前記メモリに蓄え、該画像データと共に前記補正係数データを読み出し、当該画像データを該補正係数データに基づいてシェーディング補正すること」を「前記制御手段は前記補正係数データを予め求めて前記メモリの第３領域に書き込んだ後、前記ラインセンサが前記読取対象物を走査する際、前記変換手段からの１ライン分の画像データを一時的に前記メモリの第１領域に蓄えると共に該第１領域から1ライン分の画像データを前記メモリの第２領域へ順次転送することにより全ライン分の画像データを１画面分の画像データとして書き込み、該第２領域から当該１画面分の画像データと共に前記第３領域から前記補正係数データを読み出し、当該１画面分の画像データを該補正係数データに基づいてシェーディング補正して前記第２領域へ書き込み直すこと」としたものである。
　２．特許法第１７条の２第４項には、
「４　前項に規定するもののほか、第一項第三号及び第四号に掲げる場合において特許請求の範囲についてする補正は、次に掲げる事項を目的とするものに限る。
一　第三十六条第五項に規定する請求項の削除
二　特許請求の範囲の減縮（第三十六条第五項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）
三　誤記の訂正
四　明りようでない記載の釈明（拒絶理由通知に係る拒絶の理由に示す事項についてするものに限る。）」と規定されているところ、本件補正が、該規定された目的とするものか以下、検討する。
　
　上記補正事項イにおいて、補正前の「汎用のハードウェアである」メモリから、「汎用のハードウェアである」との限定事項を削除したため、汎用のハードウエアであるもの以外のメモリ、例えば画像処理専用のメモリが、その文言上含まれることとなった。該補正は、特許請求の範囲の減縮を目的とするものでないことは、明らかである。
　同じく、上記補正事項ウにおいて、補正前の「汎用のハードウェアである」制御手段から、「汎用のハードウェアである」との限定事項を削除したため、汎用のハードウエアであるもの以外の制御手段、例えば画像処理専用の制御手段が、その文言上含まれることとなった。該補正は、特許請求の範囲の減縮を目的とするものでないことは、明らかである。
　また、上記補正事項イ、ウは、請求項の削除、誤記の訂正、明りょうでない記載の釈明（拒絶理由通知に係る拒絶の理由に示す事項についてするものに限る。）を目的とするものでないことも、明らかである。
　してみると、本願補正は、請求項の削除、特許請求の範囲の減縮、誤記の訂正又は明りようでない記載の釈明のいずれかを目的とするものとはいえない。
　
　３．以上のとおりであるから、本件補正は、特許法第１７条の２第４項規定に違反するので、特許法第１５９条第１項において読み替えて準用する同法第５３条第１項の規定により却下すべきものである。
　
第３　本願発明について
１．本願発明
　平成１６年２月１９日付けの手続補正は、上記のとおり却下されたので、本願の請求項１に係る発明（以下、「本願発明」という。）は、平成１５年１月１７日付け手続補正書によって補正された明細書及び図面の記載からみて、その特許請求の範囲の請求項１に記載された事項により特定される、以下のとおりのものである。 
「【請求項１】　読取対象物を照明する照明手段と、該読取対象物の画像を読み取るための光学系及び撮像センサと、前記撮像センサからの画像信号を画像データへ変換する変換手段と、画像データ及びシューディング補正に関する補正係数データを格納する汎用のハードウェアであるメモリと、該メモリへの画像データの書き込み、読み出しを行う汎用のハードウェアである制御手段と、画像データをＴＶ信号又はプリンタ出力信号に変換する出力手段とを備えた画像読取装置において、前記制御手段は前記補正係数データを予め求めて前記メモリに書き込んだ後、前記変換手段からの画像データを一時的に前記メモリに蓄え、該画像データと共に前記補正係数データを読み出し、当該画像データを該補正係数データに基づいてシェーディング補正することを特徴とする画像読み取り装置。」 
　
２．引用例 
　原査定の拒絶の理由に引用された特開平６−６２２４４号公報（以下、「刊行物１」という。）には、
　ア　「【請求項１】  シェーディング歪補正用の白基準板を走査して、得られた信号を基準白データとし、該信号をアナログ／ディジタル変換してラインバッファに蓄積し、実読み取り時には、原稿のアナログ／ディジタル変換後の画データと、ラインバッファから逐次読み出された基準白データとを用い、ディジタル演算によってシェーディング補正を行なう方法において、シェーディング歪記憶用ＲＡＭの未使用領域に、補正係数算出用の除算テーブルを格納し、該除算テーブルを用いて、シェーディング歪を補正するための演算を行なうことを特徴とするシェーディング補正方法。
【請求項２】  上記除算テーブルによる演算は、シェーディング歪格納用ＲＡＭへシェーディング歪データを書き込む以前に行なうことを特徴とする請求項１記載のシェーディング補正方法。」（２頁１欄２行〜１６行）、
　イ　「【産業上の利用分野】本発明は、ファクシミリ装置等におけるシェーディング補正方法に関し、特にビデオ処理部のＬＳＩ化を促進して、信頼性向上およびコスト低減に好適なシェーディング補正方法に関する。」（２頁１欄２９行〜２欄３行）、
　ウ　「ここで、オールディジタルシェーディング方式の内容を示す。入力ビデオ信号Ｓｎは、次に示す式（１）で表わされる。
（審決注：式（１）略）
この式（１）より、白基準板によるシェーディング歪Ｄｎは、次に示す式（２）で表わされる。
Ｗｎ＝Ｗ・Ｄｎ＋Ｂ≦Ｗ＋Ｂ……（２）
このＷ（歪のない理想的な白基準板信号）とＢ（黒オフセット）とＷｎ（歪を含む読み取り時の白基準板信号）の各画素位置における関係は、図２に示す通りである。さらに、ピークホールド処理により、
Ｗ＋Ｂ＝ＦＦｈ……（３）
が得られる。一般には、シェーディング歪保持用ＲＡＭには、Ｗｎ−Ｂ（＝Ｗ・Ｄｎ）が書き込まれる。また、シェーディング補正後の信号は、次に示す式（４）で表わされる。
（審決注：式（４）略）
ここで、最大補正率を５０％とすれば、補正係数Λｎ＝ＦＦｈ／Ｗ・Ｄｎは、１≦Λｎ≦２、すなわち、次式（５）で表わされる。
       Ｗ・Ｄｎ≧８０ｈのとき、Λｎ＝ＦＦｈ／Ｗ・Ｄｎ
       Ｗ・Ｄｎ＜８０ｈのとき、Λｎ＝ＦＦｈ            ……（５）
また、このΛｎは、図３に示すように変化し、ＦＦは１バイトでのピークを示す。上記の補正係数Λｎの計算に除算が入るため、従来は（２）式によりシェーディングＲＡＭに書き込まれた歪データＷ・ＤｎをＣＰＵが順次読み出し、（５）式の演算をＣＰＵで行なった後、再度、シェーディング歪保持用ＲＡＭに格納する方法か、あるいは、（５）式の演算をテーブルＲＯＭにて行なう方法が採用されていた。」（２頁２欄２６行〜３頁３欄６行）、 
　エ　「（第１の実施例）図１は、本発明の第１の実施例におけるシェーディング補正回路の構成図である。図１において、１はＣＣＤ(Charge Coupled Devices)、２はサンプルホールド機能、直流再生機能、増幅機能を有する前処理部（アナログフロントエンド）、３はピークホールド回路、４はアナログ／ディジタル変換を行なうＡ／Ｄ変換器（ＡＤＣ）、５は黒オフセット調整に用いる定数を格納するレジスタ、６は、その定数とＡＤＣ４出力の減算を行なう黒オフセット調整用の減算器、７はＣＰＵインタフェース（ＣＰＵ  Ｉ／Ｆ）、８，１０，１５はセレクタ、９は８Ｋバイトのシェーディング用ＲＡＭ、１１はラッチＡ、１２はラッチＢ、１３は、減算器６出力とシェーディング補正データを入力して演算を行ない、補正後データを出力する乗算器、１４は主走査カウンタである。また、ＲＡＭ９には、図４に示すように、５Ｋバイトのシェーディングデータ格納部（シェーディング歪データ（Ｗ・Ｄn）を格納する領域）と、２５６バイトの除算テーブル格納部（シェーディング補正係数を算出する際に用いる除算テーブルを格納する領域）とを有する。一般に、汎用ＳＲＡＭ等を使用した場合のＲＡＭサイズは２nＫバイト構成であるが、主走査の画素数とは一致しない。例えば、Ａ３  ４００ｄｐｉのスキャナ部を持つシステムでは、主走査は５Ｋバイトであるが、これを格納するＲＡＭは８Ｋバイトとなり、後の３Ｋバイトは未使用となる。そこで、このＲＡＭ未使用領域を除算テーブルとして使用するものである。」（３頁３欄４７行〜４欄２２行）、
　オ　「次に、本実施例のシェーディング補正方法について述べる。本実施例では、シェーディングモード時、図５に示すように、ＲＡＭアクセスを２回／ｐｅｌにすることにより、前半サイクルで除算テーブル演算を行ない、後半サイクルで、その演算結果をＲＡＭ９に格納する。このＲＡＭによる除算を実行するために、システムの電源立上げ時、ＣＰＵ（図示せず）からバスを介し、ＣＰＵインタフェース７、セレクタ８（Ａ端子）を通じて、ＲＡＭ９の除算テーブルアドレスに除算演算用のデータを書き込んでおく。このベースデータは、ファームウェアＲＯＭ上に書き込まれたデータを転送して作成してもよいし、ＣＰＵの演算命令を作用したプログラムにて発生させてもよい。そして、シェーディングモードでは、白基準板のデータ（Ｗn）は、前処理部２およびＡＤＣ４を介してＡ／Ｄ変換された後、減算器６でオフセット調整される。この減算器６出力をアドレスにして、セレクタ１５，１０（Ｂ端子）を介し、ＲＡＭ９の除算テーブルのデータが読み出される。このデータ（除算結果データ）は、ＲＡＭデータ線からラッチＡ１１、セレクタ８（Ｂ端子）を介し、当該画素位置のアドレスのシェーディングデータ格納部に１画素周期内で書き込まれる。次に、実読取モードでは、主走査カウンタ１４からセレクタ１５（Ａ端子）およびセレクタ１０（Ｂ端子）を介して与えられたシェーディングアドレス（ＲＡＭ９のシェーディングデータ格納部アドレス）に従い、前記データがｎ画素目シェーディング補正データとして読み出され、ＲＡＭデータ線からラッチＢ１２を介して乗算器１３に入力される。一方、前記減算器６出力も入力されるため、乗算器１３は、これらの値から補正後データを算出して次段へ出力する。」（３頁３欄２２行〜４頁５欄２行）が記載されている。
　上記記載ア〜オ、図面図１〜図１０によれば、刊行物１には、「ＣＣＤ(Charge Coupled Devices)１と、アナログ／ディジタル変換を行なうＡ／Ｄ変換器（ＡＤＣ）４と、汎用ＳＲＡＭ等を使用したシューディング補正に関する補正係数データを格納する８Ｋバイトのシェーディング用ＲＡＭ９と、該ＲＡＭ９への補正係数データの書き込み、読み出しを行うＣＰＵ（図示せず）とを備えたシェーディング補正回路において、前記ＣＰＵは前記補正係数データを前記ＲＡＭ９に書き込んだ後、前記Ａ／Ｄ変換器（ＡＤＣ）４からの画データを該画像データと共に前記補正係数データを読み出し、当該画像データを読み出された該補正係数データとともに乗算器１３に入力しシェーディング補正することを特徴とするシェーディング補正回路」の発明（以下、「引用発明」という。）が記載されていると認める。
　
３．対比
　そこで、本願発明と引用発明とを対比する。
　引用発明の「ＣＣＤ(Charge Coupled Devices)１」、「アナログ／ディジタル変換を行なうＡ／Ｄ変換器（ＡＤＣ）４」、「ＲＡＭ９」、「ＣＰＵ」及び「画データ」は、本願発明の「撮像センサ」、「画像信号を画像データへ変換する変換手段」、「メモリ」、「制御手段」及び「画像データ」に相当する。
　引用発明の「シェーディング補正回路」は、ＣＣＤ(Charge Coupled Devices)１等を構成要素とし、シェーディング補正回路を含む「装置」といえるものである。
　したがって、本願発明と引用発明１とは、「撮像センサと、前記撮像センサからの画像信号を画像データへ変換する変換手段と、シューディング補正に関する補正係数データを格納するメモリと、制御手段とを備え、前記制御手段は前記補正係数データを前記メモリに書き込んだ後、前記変換手段からの画像データを該補正係数データに基づいてシェーディング補正することを特徴とする装置」の点で一致し、以下の点で相違する。
　相違点１
　本願発明は、装置が「画像読取装置」であり、「読取対象物を照明する照明手段と、該読取対象物の画像を読み取るための光学系及び撮像センサと、前記撮像センサからの画像信号を画像データへ変換する変換手段と、画像データ及びシューディング補正に関する補正係数データを格納する汎用のハードウェアであるメモリと、該メモリへの画像データの書き込み、読み出しを行う汎用のハードウェアである制御手段と、画像データをＴＶ信号又はプリンタ出力信号に変換する出力手段とを備え」ているのに対して、引用発明は、装置が「シェーディング補正回路を含む「装置」」であり、「照明手段」、「出力手段」等が記載されておらず、また、「メモリ」と、「制御手段」が、汎用のハードウェアであると記載されていない点。
　相違点２
　本願発明は、「前記制御手段は前記補正係数データを予め求めて前記メモリに書き込んだ後、前記変換手段からの画像データを一時的に前記メモリに蓄え、該画像データと共に前記補正係数データを読み出し、当該画像データを該補正係数データに基づいてシェーディング補正することを特徴とする」のに対して、引用発明は、前記ＣＰＵは前記補正係数データを前記ＲＡＭ９に書き込んだ後、前記Ａ／Ｄ変換器（ＡＤＣ）４からの画データを該画像データと共に前記補正係数データを読み出し、当該画像データを読み出された該補正係数データとともに乗算器１３に入力しシェーディング補正することを特徴とする点。
 　 
４．判断
　以下、相違点１〜２について検討する。
　相違点１について
　画像処理の技術分野において、画像読み取り装置にシェーディング補正回路を適用すること、画像処理を汎用のハードウェアであるＣＰＵ（制御手段）と汎用のハードウェアであるメモリを用いた情報処理装置で行うこと、及びその際、該ＣＰＵが該メモリへの画像データの書き込み、読み出しを行いことは何れも周知な技術事項にすぎない。
　また、画像読み取り装置に、読取対象物を照明する照明手段、該読取対象物の画像を読み取るための光学系及び撮像センサ、前記撮像センサからの画像信号を画像データへ変換する変換手段、シューディング補正に関する補正係数データを格納するメモリ、画像データを格納するメモリ、該メモリへの画像データの書き込み、読み出しを行う制御手段、画像データをＴＶ信号又はプリンタ出力信号に変換する出力手段を備えさせることは、各々周知な技術事項である（例えば、特開昭６１−２９０８６６号公報、特開平４−３４５２７０号公報、特開平４−３４５２７２号公報、特開昭５８−１５０９４５号公報参照）。
　引用発明は画像処理の技術分野に属するものであり、引用発明に画像処理の技術分野における上記した各周知な技術事項を採用することに格別困難な事情も見出せない。
　メモリに、複数種のデータを領域別に格納することは、当業者が、適宜なし得る技術事項である（例えば特開平４−３４５２７０号公報、特開平４−３４５２７２号公報、特開平６−７０１４５号公報参照）。
　してみると、引用発明に、上記周知な技術事項を採用し、「読取対象物を照明する照明手段と、該読取対象物の画像を読み取るための光学系及び撮像センサと、前記撮像センサからの画像信号を画像データへ変換する変換手段と、画像データ及びシューディング補正に関する補正係数データを格納する汎用のハードウェアであるメモリと、該メモリへの画像データの書き込み、読み出しを行う汎用のハードウェアである制御手段と、画像データをＴＶ信号又はプリンタ出力信号に変換する出力手段とを備えた画像読取装置」を推考することは、当業者が容易になし得たことである。
　相違点２について
　一般に、ＣＰＵとメモリを備えた情報処理を行う装置において、求めるべきデータの関係式が与えられていれば、必要な入力データをメモリに書き込み、ソフトウエアにより、特別なハードウエアを用いることなく、求めるべきデータを関係式に従って計算して得ることは、当業者が普通になし得る設計事項であるところ（例えば特開平４−３４５２７０号公報、特開平４−３４５２７２号公報参照）、刊行物１（上記２．ウの記載）に、シェーディング補正するための各関係式が記載されてるとともに、「上記の補正係数Λｎの計算に除算が入るため、従来は（２）式によりシェーディングＲＡＭに書き込まれた歪データＷ・ＤｎをＣＰＵが順次読み出し、（５）式の演算をＣＰＵで行なった後、再度、シェーディング歪保持用ＲＡＭに格納する方法」と、「補正係数データを予め求める」技術が記載されている。
　してみると、引用発明において、「前記制御手段は前記補正係数データを予め求めて前記メモリに書き込んだ後、前記変換手段からの画像データを一時的に前記メモリに蓄え、該画像データと共に前記補正係数データを読み出し、当該画像データを該補正係数データに基づいてシェーディング補正すること」は、当業者が容易に想到することができたものである。
 　 
　本願発明の奏する作用効果は、刊行物１に記載された発明、上記周知な技術事項の奏する作用効果から予測される範囲内のものにすぎず、格別なものということはできない。
 　 
５．むすび
　以上のとおり、本願発明は、刊行物１に記載された発明に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。